(57)【特許請求の範囲】
【請求項１】
貫通した孔を有するクリップと、
少なくともアンテナと前記アンテナに電気的に接続されたＩＣチップとを有する非接触式データキャリアと、
前記非接触式データキャリアが内蔵又は設置された樹脂製のホルダと、
前記クリップの孔を用いて、前記クリップに前記ホルダを取り付ける取り付け手段と、
を備える非接触式データキャリア装置。
【請求項２】
貫通した孔を有するクリップに使用する非接触式データキャリア装置であって、
少なくともアンテナと前記アンテナに電気的に接続されたＩＣチップとを有する非接触式データキャリアと、
前記非接触式データキャリアが内蔵又は設置された樹脂製のホルダと、
前記クリップの孔を用いて、前記クリップに前記ホルダを取り付ける取り付け手段と、
を備える非接触式データキャリア装置。
【請求項３】
請求項１又は請求項２に記載の非接触式データキャリア装置において、
前記ホルダは、前記クリップの孔に対応する孔を備え、
前記取り付け手段は、
前記クリップの孔及び前記ホルダの孔に挿入されるネジと、
前記ネジに嵌合するナットとを備えるものであること、
を特徴とする非接触式データキャリア装置。
【請求項４】
請求項３に記載の非接触式データキャリア装置において、
前記取り付け手段は、前記ネジと前記ナットとの間に配置されるワッシャを備えること、
を特徴とする非接触式データキャリア装置。
【請求項５】
請求項１又は請求項２に記載の非接触式データキャリア装置において、
前記取り付け手段は、折り部を介して折り畳み可能な第１の部分と第２の部分とを有する板状部材であり、
前記第１の部分は、前記クリップの孔に対応する孔を備え、
前記第２の部分は、前記第１の部分の孔と係合する突起部を備えること、
を特徴とする非接触式データキャリア装置。
【請求項６】
請求項５に記載の非接触式データキャリア装置において、
前記ホルダと前記取り付け手段とは、一体化されていること、
を特徴とする非接触式データキャリア装置。
【請求項７】
請求項１又は請求項２に記載の非接触式データキャリア装置において、
前記ホルダは、前記クリップの孔に対応する孔を備え、
前記取り付け手段は、
前記クリップの孔及び前記ホルダの孔に挿入される本体部と、
前記本体部の両端に設けられ、前記本体部の抜け止めとなる抜け止め部とを備えるものであること、
を特徴とする非接触式データキャリア装置。
【請求項８】
請求項７に記載の非接触式データキャリア装置において、
前記本体部の両端に設けられた抜け止め部の少なくとも一方は、かしめによって形成されていること、
を特徴とする非接触式データキャリア装置。
【請求項９】
請求項１から請求項８までのいずれか１項に記載の非接触式データキャリア装置において、
前記取り付け手段は、少なくとも一部が樹脂により形成されていること、
を特徴とする非接触式データキャリア装置。
【請求項１０】
請求項１又は請求項２に記載の非接触式データキャリア装置において、
前記取り付け手段は、紐状の部材であること、
を特徴とする非接触式データキャリア装置。
【請求項１１】
請求項１又は請求項２に記載の非接触式データキャリア装置において、
前記取り付け手段は、
前記ホルダに設けられ、前記クリップの孔に挿入される本体部と、
前記本体部に設けられ、前記本体部の抜け止めとなる抜け止め部とを備えるものであること、
を特徴とする非接触式データキャリア装置。
【請求項１２】
請求項１１に記載の非接触式データキャリア装置において、
前記抜け止め部は、かしめによって形成されていること、
を特徴とする非接触式データキャリア装置。
【請求項１３】
請求項１から請求項１２までのいずれか１項に記載の非接触式データキャリア装置において、
前記クリップは、
前記クリップの孔を有する手押し部と、
前記手押し部に連結され、被把持部材を把持する把持部と、
前記手押し部と前記把持部との間に設けられ、前記把持部が把持状態となるように付勢する付勢部材とを備える金属製の目玉クリップであること、
を特徴とする非接触式データキャリア装置。
【請求項１４】
請求項１３に記載の非接触式データキャリア装置において、
前記ホルダは、前記手押し部に取り付けられていること、
を特徴とする非接触式データキャリア装置。
【請求項１５】
請求項１３又は請求項１４に記載の非接触式データキャリア装置において、
前記手押し部は、対向する２つの金属面部からなり、
前記ホルダは、前記２つの金属面部の対向面側に取り付けられていること、
を特徴とする非接触式データキャリア装置。
【請求項１６】
請求項１３から請求項１５までのいずれか１項に記載の非接触式データキャリア装置において、
前記非接触式データキャリアは、前記手押し部から離間して配置されていること、
を特徴とする非接触式データキャリア装置。
【請求項１７】
請求項１３から請求項１６までのいずれか１項に記載の非接触式データキャリア装置において、
前記非接触式データキャリアは、前記手押し部の端部から、０ｍｍ以上２０ｍｍ以下の範囲に配置されていること、
を特徴とする非接触式データキャリア装置。
【請求項１８】
請求項１３から請求項１７までのいずれか１項に記載の非接触式データキャリア装置において、
前記クリップは、前記手押し部と前記把持部とを回転させる回転軸を備え、
前記非接触式データキャリアは、前記クリップの孔を通りかつ前記回転軸と平行な方向では、前記手押し部の端部から、０ｍｍ以上２８ｍｍ以下の範囲に配置されていること、
を特徴とする非接触式データキャリア装置。
【発明の詳細な説明】
【技術分野】
【０００１】
本発明は、非接触式で通信が可能な非接触式データキャリア装置に関するものである。
【背景技術】
【０００２】
従来、書類やプリント基板、ガラス製のマスク、金属製のマスクの管理において、プラスチック製のクリップ自体にタグを取り付け、それによって書類やプリント基板、マスクなどを管理することがあった（例えば、特許文献１）。
【０００３】
しかし、書類が厚くなったり、プリント基板を重ねて管理したり、厚手のガラス製のマスクや金属製のマスクを管理する場合、通常のタグを取り付けたプラスチック製のクリップでは、クリップを取り付けづらいという問題があった。
【特許文献１】特開２００５−２１６２７５号公報
【発明の開示】
【発明が解決しようとする課題】
【０００４】
本発明の課題は、対象物に取り付けやすい非接触式データキャリア装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、貫通した孔（１１）を有するクリップ（１０）と、少なくともアンテナと前記アンテナに電気的に接続されたＩＣチップとを有する非接触式データキャリア（２０）と、前記非接触式データキャリア（２０）が内蔵又は設置された樹脂製のホルダ（３０）と、前記クリップ（１０）の孔（１１）を用いて、前記クリップ（１０）に前記ホルダ（３０）を取り付ける取り付け手段（４０）と、を備える非接触式データキャリア装置（１００）である。
請求項２の発明は、貫通した孔（１１）を有するクリップ（１０）に使用する非接触式データキャリア装置（１００）であって、少なくともアンテナと前記アンテナに電気的に接続されたＩＣチップとを有する非接触式データキャリア（２０）と、前記非接触式データキャリア（２０）が内蔵又は設置された樹脂製のホルダ（３０）と、前記クリップ（１０）の孔（１１）を用いて、前記クリップ（１０）に前記ホルダ（３０）を取り付ける取り付け手段（４０）と、を備える非接触式データキャリア装置（１００）である。
請求項３の発明は、請求項１又は請求項２に記載の非接触式データキャリア装置（１００）において、前記ホルダ（３０）は、前記クリップ（１０）の孔（１１）に対応する孔（３１）を備え、前記取り付け手段（４０）は、前記クリップ（１０）の孔（１１）及び前記ホルダ（３０）の孔（３１）に挿入されるネジ（４１）と、前記ネジ（４１）に嵌合するナット（４２）とを備えるものであること、を特徴とする非接触式データキャリア装置（１００）である。
請求項４の発明は、請求項３に記載の非接触式データキャリア装置（１００）において、前記取り付け手段（４０）は、前記ネジ（４１）と前記ナット（４２）との間に配置されるワッシャ（４３）を備えること、を特徴とする非接触式データキャリア装置（１００）である。
請求項５の発明は、請求項１又は請求項２に記載の非接触式データキャリア装置（１００−２）において、前記取り付け手段（４０−２）は、折り部（４４）を介して折り畳み可能な第１の部分（４５）と第２の部分（４６）とを有する板状部材であり、前記第１の部分（４５）は、前記クリップ（１０）の孔（１１）に対応する孔（４７）を備え、前記第２の部分（４６）は、前記第１の部分（４５）の孔（４７）と係合する突起部（４８）を備えること、を特徴とする非接触式データキャリア装置（１００−２）である。
請求項６の発明は、請求項５に記載の非接触式データキャリア装置（１００−３）において、前記ホルダ（３０）と前記取り付け手段（４０−２）とは、一体化されていること、を特徴とする非接触式データキャリア装置（１００−３）である。
請求項７の発明は、請求項１又は請求項２に記載の非接触式データキャリア装置（１００−４）において、前記ホルダ（３０）は、前記クリップ（１０）の孔（１１）に対応する孔（３１）を備え、前記取り付け手段（４０−４）は、前記クリップ（１０）の孔（１１）及び前記ホルダ（３０）の孔（３１）に挿入される本体部（５０）と、前記本体部（５０）の両端に設けられ、前記本体部（５０）の抜け止めとなる抜け止め部（５１，５２）とを備えるものであること、を特徴とする非接触式データキャリア装置（１００−４）である。
請求項８の発明は、請求項７に記載の非接触式データキャリア装置（１００−４）において、前記本体部（５０）の両端に設けられた抜け止め部の少なくとも一方（５２）は、かしめによって形成されていること、を特徴とする非接触式データキャリア装置（１００−４）である。
請求項９の発明は、請求項１から請求項８までのいずれか１項に記載の非接触式データキャリア装置（１００）において、前記取り付け手段（４０）は、少なくとも一部が樹脂により形成されていること、を特徴とする非接触式データキャリア装置（１００）である。
請求項１０の発明は、請求項１又は請求項２に記載の非接触式データキャリア装置（１００−５）において、前記取り付け手段（４０−５）は、紐状の部材（５３）であること、を特徴とする非接触式データキャリア装置（１００−５）である。
請求項１１の発明は、請求項１又は請求項２に記載の非接触式データキャリア装置（１００−６）において、前記取り付け手段（４０−６）は、前記ホルダ（３０）に設けられ、前記クリップ（１０）の孔（１１）に挿入される本体部（５０）と、前記本体部（５０）に設けられ、前記本体部（５０）の抜け止めとなる抜け止め部（５４，５５）とを備えるものであること、を特徴とする非接触式データキャリア装置（１００−６）である。
請求項１２の発明は、請求項１１に記載の非接触式データキャリア装置（１００−６）において、前記抜け止め部（５４）は、かしめによって形成されていること、を特徴とする非接触式データキャリア装置（１００−６）である。
請求項１３の発明は、請求項１から請求項１２までのいずれか１項に記載の非接触式データキャリア装置（１００）において、前記クリップ（１０）は、前記クリップ（１０）の孔（１１）を有する手押し部（１２）と、前記手押し部（１２）に連結され、被把持部材を把持する把持部（１３）と、前記手押し部（１２）と前記把持部（１３）との間に設けられ、前記把持部（１３）が把持状態となるように付勢する付勢部材（１４）とを備える金属製の目玉クリップ（１０）であること、を特徴とする非接触式データキャリア装置（１００）である。
請求項１４の発明は、請求項１３に記載の非接触式データキャリア装置（１００）において、前記ホルダ（３０）は、前記手押し部（１２）に取り付けられていること、を特徴とする非接触式データキャリア装置（１００）である。
請求項１５の発明は、請求項１３又は請求項１４に記載の非接触式データキャリア装置（１００）において、前記手押し部（１２）は、対向する２つの金属面部（１２Ａ，１２Ｂ）からなり、前記ホルダ（３０）は、前記２つの金属面部（１２Ａ，１２Ｂ）の対向面側に取り付けられていること、を特徴とする非接触式データキャリア装置（１００）である。
請求項１６の発明は、請求項１３から請求項１５までのいずれか１項に記載の非接触式データキャリア装置（１００）において、前記非接触式データキャリア（２０）は、前記手押し部（１２）から離間して配置されていること、を特徴とする非接触式データキャリア装置（１００）である。
請求項１７の発明は、請求項１３から請求項１６までのいずれか１項に記載の非接触式データキャリア装置（１００）において、前記非接触式データキャリア（２０）は、前記手押し部（１２）の端部から、０ｍｍ以上２０ｍｍ以下の範囲に配置されていること、を特徴とする非接触式データキャリア装置（１００）である。
請求項１８の発明は、請求項１３から請求項１７までのいずれか１項に記載の非接触式データキャリア装置（１００）において、前記クリップ（１０）は、前記手押し部（１２）と前記把持部（１３）とを回転させる回転軸（１５）を備え、前記非接触式データキャリア（２０）は、前記クリップ（１０）の孔（１１）を通りかつ前記回転軸（１５）と平行な方向では、前記手押し部（１２）の端部から、０ｍｍ以上２８ｍｍ以下の範囲に配置されていること、を特徴とする非接触式データキャリア装置（１００）である。
【発明の効果】
【０００６】
本発明によれば、以下のような効果がある。
（１）クリップの孔を用いて、非接触式データキャリアが内蔵又は設置された樹脂製のホルダを取り付けるので、書類が厚くなったり、プリント基板を重ねて管理したり、厚手のガラス製のマスクや金属製のマスクを管理する場合であっても、簡単に非接触式データキャリアを取り付けることができる。
（２）取り付け手段は、クリップの孔及びホルダの孔に挿入されるネジと、ネジに嵌合するナットとを備えるものであるので、簡単な構成で取り付けを実現することができる。
（３）取り付け手段は、ネジとナットとの間に配置されるワッシャを備えるので、ホルダにかかる応力を低減させることができる。
【０００７】
（４）取り付け手段は、折り部を介して折り畳み可能な第１の部分と第２の部分とを有する板状部材であるので、折り畳むだけの簡単な動作で、取り付けが可能である。
（５）ホルダと取り付け手段とは、一体化されているので、ホルダと取り付け手段とが分離して、どちらかが紛失してしまうことがない。
（６）取り付け手段は、本体部と、本体部の抜け止めとなる抜け止め部とを備えるものであるので、クリップにホルダがしっかりと固定される。
【０００８】
（７）抜け止め部の少なくとも一方は、かしめによって形成されているので、製造時にかしめ固定したり、使用時にかしめ固定したりすることができる。
（８）取り付け手段は、少なくとも一部が樹脂により形成されているので、金属のものと比較して通信への影響を低減させることができる。
（９）取り付け手段は、紐状の部材であるので、より簡易的に取り付けを行うことができる。
【０００９】
（１０）ホルダに本体部が設けられているので、部品の数を減少させることができる。
（１１）クリップは、金属製の目玉クリップであるので、目玉クリップの孔を利用して非接触式データキャリアを取り付けることができる。
（１２）ホルダは、手押し部に取り付けられているので、被把持部材の邪魔にならない。
【００１０】
（１３）ホルダは、２つの金属面部の対向面側に取り付けられているので、手でつかむ場合に、非接触式データキャリアへの押し圧力が加わらなくなるとともに、クリップにホルダを取り付けていない状態と比較して、操作性・作業性・機能性の変化を生じさせず、また、非接触式データキャリアを破損するようなことがない。
（１４）非接触式データキャリアは、手押し部から離間して配置されているので、Ｒ／Ｗ（リーダライタ）などの外部装置と非接触式データキャリア間の通信時における金属面からの影響を軽減でき、良好な通信距離を確保することができる。また、非接触式データキャリアを目玉クリップの手押し部の金属面と重ならないように配置することで、Ｒ／Ｗと非接触式データキャリア間の通信時における金属面からの影響を軽減することができる。
【００１１】
（１５）非接触式データキャリアは、手押し部の端部から、０ｍｍ以上２０ｍｍ以下の範囲に配置されているので、所望の通信距離を確保することができる。
（１６）非接触式データキャリアは、クリップの孔を通りかつ回転軸と平行な方向では、手押し部の端部から、０ｍｍ以上２８ｍｍ以下の範囲に配置されているので、所望の通信距離を確保することができる。
【発明を実施するための最良の形態】
【００１２】
以下、図面等を参照して、本発明の実施例について、さらに詳しく説明する。
【実施例１】
【００１３】
図１は、本発明による非接触式データキャリア装置の実施例１を示す図である。
実施例１の非接触式データキャリア装置１００は、目玉クリップ１０と、非接触式データキャリア２０と、ＰＰホルダ３０と、取り付け手段４０などとを備える。
【００１４】
目玉クリップ１０は、貫通した孔（目玉）１１を有する手押し部（目玉部）１２と、手押し部１２に連結され、書類やプリント基板、ガラス製のマスク、金属製のマスクなどの被把持部材を把持する把持部１３と、手押し部１２と把持部１３との間に設けられ、把持部１３が把持状態となるように付勢するねじりバネ（付勢部材）１４と、手押し部１２と把持部１３とを回転させる回転軸１５とを備える金属製のクリップである。
手押し部１２は、対向する２つの金属面部１２Ａ，１２Ｂからなる。
【００１５】
非接触式データキャリア２０は、少なくともアンテナとアンテナに電気的に接続されたＩＣチップとを有し、非接触式で通信が可能な小型ＩＣタグである。
また、非接触式データキャリア２０は、書類やプリント基板などの管理情報を外部のＲ／Ｗと送受信し管理する。
さらに、非接触式データキャリア２０は、手押し部１２の孔１１の径方向において、把持部１３の反対側に手押し部１２から離間して配置され、かつ、手押し部１２の厚み方向において手押し部１２から浮かして配置されている。
【００１６】
ＰＰホルダ３０は、非接触式データキャリア２０が設置された樹脂製（本実施例では、ポリプロピレン）の部材であり、目玉クリップ１０の孔１１に対応する孔３１を備える。
また、ＰＰホルダ３０は、手押し部１２の２つの金属面部１２Ａ，１２Ｂの対向面側に取り付けられている。
【００１７】
取り付け手段４０は、目玉クリップ１０の孔１１を用いて、目玉クリップ１０にＰＰホルダ３０を取り付けるものであり、目玉クリップ１０の孔１１及びＰＰホルダ３０の孔３１に挿入されるネジ４１と、ネジ４１に嵌合するナット４２と、ネジ４１とナット４２との間に配置されるワッシャ４３とを備える。
ネジ４１，ナット４２及びワッシャ４３は、樹脂製である。
【００１８】
そして、この非接触式データキャリア装置１００を使用する場合には、目玉クリップ１０の孔１１とＰＰホルダ３０の孔３１とを合わせ、ネジ４１，ナット４２及びワッシャ４３を用いて目玉クリップ１０にＰＰホルダ３０を固定する。
【００１９】
図２は、非接触式データキャリア２０の取り付け位置について説明する図である。
図３は、目玉クリップ１０からＰＰホルダ３０までの距離と通信距離との関係を示す図であり、横軸は、目玉クリップ１０からＰＰホルダ３０までの距離［ｍｍ］を示し、縦軸は、通信距離［ｍｍ］を示している。ここで、通信距離とは、通信が可能な限界の距離のことをいう。
［実験の目的］
目玉クリップ１０に、非接触式データキャリア２０を取り付ける場合、目玉クリップ１０の金属の影響を考慮して、非接触式データキャリア２０の取り付け位置を決める必要がある。
ここでは、非接触式データキャリア２０の取り付け位置を変化させた場合の非接触式データキャリア２０の通信距離を測定し、最適な取り付け位置を求める。
【００２０】
［測定対象］
非接触式データキャリア２０は、自由空間時（回りに金属がなく、金属の影響を受けていない状態）の通信距離が２２．３４ｍｍであった。
非接触式データキャリア２０と通信を行うＲ／Ｗ２００は、タカヤ株式会社製の１００ｍＷ品（アンテナ；ＴＲ３−Ａ３０１）を用いた。
そして、以下のような測定を行った。
【００２１】
［測定内容］
図２に示すように、目玉クリップ１０上にＰＰホルダ３０を固定し、Ｒ／Ｗ２００をＰＰホルダ３０に対して高さ方向の上方部分に配置した。なお、一方の手押し部１２は、取り外して実験を行っている。
まず、ＰＰホルダ３０の長手方向が、図中Ｘ方向（把持部１３から手押し部１２に向かう方向）に沿うように、ＰＰホルダ３０を手押し部１２の孔１１に固定し、通信距離を測定した。
次に、手押し部１２の端部を０ｍｍとして、図中Ｘ方向に５ｍｍ間隔で３５ｍｍまでＰＰホルダ３０を移動させた時の通信距離を測定した。
さらに、手押し部１２の端部を０ｍｍとして、図中Ｙ方向（目玉クリップ１０の孔１１を通りかつ回転軸１５と平行な方向）に５ｍｍ間隔で３５ｍｍまでＰＰホルダ３０を移動させた時の通信距離を測定した（Ｘ方向，Ｙ方向の原点は、図４参照）。
【００２２】
［測定結果と考察］
Ｘ方向とは逆の方向（−Ｘ方向）にＰＰホルダ３０を移動させ、手押し部１２上にＰＰホルダ３０がある場合、通信距離は、２０．９３ｍｍであった。この結果は、自由空間時の２２．３４ｍｍよりも特性が劣化していることを示している。これは、ＰＰホルダ３０が目玉クリップ１０の内側に位置することになるため、金属の影響を強く受けたものと考えられる。
【００２３】
Ｘ方向，Ｙ方向にＰＰホルダ３０を移動させた場合、各点での通信距離は、図３の実線（図中Ｘ，Ｙ参照）で示してある。なお、Ｙ方向とは逆の方向（−Ｙ方向）の測定結果は、Ｙ方向と同様の結果であった。
Ｘ方向，Ｙ方向ともに、手押し部１２の端部から概ね５ｍｍ未満では、両方向ともに金属の影響を受けて、自由空間時よりも通信距離が劣化することが確認できた。
一方、５ｍｍ以上では、自由空間時に比べ通信距離の延長を確認することができた。これは、目玉クリップ１０がブースタ（中継局）の役割を果たしたものと考えられる。
また、概ね１５ｍｍを最長通信可能点（通信が可能な限界の地点）として、２０ｍｍを超えたあたりから、自由空間時の通信距離へと収束することを確認した。これは、目玉クリップ１０のブースタ効果の範囲外へ非接触式データキャリア２０が達したためと考えられる。
【００２４】
［まとめ］
以上の結果より、非接触式データキャリア２０の取り付け位置は、以下の範囲が適当であるということが分かった。
５ｍｍ≦Ｘ方向≦２０ｍｍ
５ｍｍ≦Ｙ方向≦２８ｍｍ
また、多少の通信距離の減少はあるものの、
０ｍｍ≦Ｘ方向≦５ｍｍ
０ｍｍ≦Ｙ方向≦５ｍｍ
の範囲でも、通信は行えることが分かった。
【００２５】
従って、通信距離の延長を目的とするのであれば、非接触式データキャリア２０の取り付け位置は、
５ｍｍ≦Ｘ方向≦２０ｍｍ
５ｍｍ≦Ｙ方向≦２８ｍｍ
の範囲（図３中矢印Ｂの範囲）に非接触式データキャリア２０を配置すればよい。
また、通信を行うことを目的とするのであれば、非接触式データキャリア２０の取り付け位置は、
０ｍｍ≦Ｘ方向
０ｍｍ≦Ｙ方向
の範囲（図３中矢印Ａの範囲）に非接触式データキャリア２０を配置すればよい。
よって、非接触式データキャリア２０の取り付け位置は、
０ｍｍ≦Ｘ方向≦２０ｍｍ
０ｍｍ≦Ｙ方向≦２８ｍｍ
の範囲が好適であることが分かった。
【００２６】
図４は、非接触式データキャリア２０の配置場所について説明する図である。
上述した実験で求められた範囲を図示すると、図４中の斜線部分Ｃの範囲となり、この範囲に非接触式データキャリア２０を配置すれば、金属製の目玉クリップ１０であっても、良好な通信を行うことができる。
【００２７】
このように、本実施例によれば、以下のような効果がある。
（１）既存の金属製の目玉クリップは、書類等のまとめや、整理整頓を目的としたものであり、その目玉クリップで挟んでいるものの詳細情報までを把握して一元管理することは容易ではない。本実施例では、金属製の目玉クリップ１０に非接触式データキャリア２０を取付けることで、目玉クリップ１０でまとめた書類等の内容や特徴、種類等の情報の管理を容易に行うことができる。
（２）非接触式データキャリア２０の取付け位置を、金属製の目玉クリップ１０の手押し部１２の金属面から浮かすことで、Ｒ／Ｗ２００と非接触式データキャリア２０間の通信時における金属面からの影響を軽減でき、良好な通信距離を確保することができる。
【００２８】
（３）目玉クリップ１０の孔１１を用いて、非接触式データキャリア２０が設置されたＰＰホルダ３０を取り付けるので、書類が厚くなったり、プリント基板を重ねて管理したり、厚手のガラスマスクや金属マスクを管理する場合であっても、簡単に非接触式データキャリア２０を取り付けることができる。
（４）取り付け手段４０は、目玉クリップ１０の孔１１及びＰＰホルダ３０の孔３１に挿入されるネジ４１と、ネジ４１に嵌合するナット４２とを備えるものであるので、簡単な構成で取り付けを実現することができる。
【００２９】
（５）取り付け手段４０は、ネジ４１とナット４２との間に配置されるワッシャ４３を備えるので、ＰＰホルダ３０にかかる応力を低減させることができる。
（６）ネジ４１，ナット４２及びワッシャ４３は、樹脂により形成されているので、金属のものと比較して通信への影響を低減させることができる。
【００３０】
（７）目玉クリップ１０は、金属製のクリップであるので、目玉クリップ１０の目玉を利用してＰＰホルダ３０を簡単に取り付けることができる。
（８）ＰＰホルダ３０は、手押し部１２に取り付けられているので、被把持部材の邪魔にならない。
【００３１】
（９）ＰＰホルダ３０は、２つの金属面部１２Ａ，１２Ｂの対向面側に取り付けられているので、手でつかむ場合に、非接触式データキャリア２０に押し圧力が加わらなくなるとともに、目玉クリップ１０にＰＰホルダ３０を取り付けていない状態と比較して、操作性・作業性・機能性の変化を生じさせず、また、非接触式データキャリア２０を破損するようなことがない。
（１０）非接触式データキャリア２０は、手押し部１２から離間して配置されているので、Ｒ／Ｗ２００と非接触式データキャリア２０間の通信時における金属面部１２Ａ，１２Ｂからの影響を軽減でき、良好な通信距離を確保することができる。また、非接触式データキャリア２０を目玉クリップ１０の手押し部１２の金属面と重ならないように配置することで、Ｒ／Ｗ２００と非接触式データキャリア２０間の通信時における金属面からの影響を軽減させることができる。
【００３２】
（１１）非接触式データキャリア２０は、手押し部１２の端部から、０ｍｍ以上２０ｍｍ以下の範囲に配置されているので、適度な通信距離を確保することができる。
（１２）非接触式データキャリア２０は、目玉クリップ１０の孔１１を通りかつ回転軸１５と平行な方向では、手押し部１２の端部から、０ｍｍ以上２８ｍｍ以下の範囲に配置されているので、適度な通信距離を確保することができる。
【実施例２】
【００３３】
図５は、本発明による非接触式データキャリア装置の実施例２を示す図である。
なお、前述した実施例１と同様な機能を果たす部分には、同一の符号又は末尾に統一した符号を付して、重複する説明や図面を適宜省略する。
実施例２の非接触式データキャリア装置１００−２は、取り付け手段４０−２が、実施例１のものと異なる。
【００３４】
取り付け手段４０−２は、折り部４４を介して折り畳み可能な第１の部分４５と第２の部分４６とを有する樹脂製の板状部材であり、第１の部分４５は、目玉クリップ１０の孔１１に対応する孔４７を備え、第２の部分４６は、第１の部分４５の孔４７と係合するフランジ部を有する突起部４８を備える。
【００３５】
このように、実施例２によれば、第１の部分４５と第２の部分４６とを折り畳むだけの簡単な動作で、目玉クリップ１０にＰＰホルダ３０を取り付けることができる、という効果がある。
【実施例３】
【００３６】
図６は、本発明による非接触式データキャリア装置の実施例３を示す図である。
実施例３の非接触式データキャリア装置１００−３は、実施例２のものと近いタイプであるが、ＰＰホルダ３０と取り付け手段４０−２とが、一体化されているものである。非接触式データキャリア２０は、ＰＰホルダ３０と取り付け手段４０−２とが一体化されているものに、貼付又は埋め込まれている。
【００３７】
このように、実施例３によれば、ＰＰホルダ３０と取り付け手段４０−２とが一体化されているので、ＰＰホルダ３０と取り付け手段４０−２とが分離して、どちらかを紛失してしまうという恐れがない。
【実施例４】
【００３８】
図７は、本発明による非接触式データキャリア装置の実施例４を示す図である。
実施例４の非接触式データキャリア装置１００−４は、取り付け手段４０−４が、目玉クリップ１０の孔１１及びＰＰホルダ３０の孔３１に挿入される本体部５０と、本体部５０の両端に設けられ、本体部５０の抜け止めとなる抜け止め部５１，５２とを備えるものである。
また、本体部５０の一方側の抜け止め部５１は、本体部５０の軸方向に略垂直な面内に広がったはとめとなっており、他方側の抜け止め部５２は、かしめによって形成される。なお、かしめは、熱かしめであっても、機械的なかしめであってもよい。
【００３９】
このように、実施例４によれば、取り付け手段４０−４は、本体部５０と、本体部５０の抜け止めとなる抜け止め部５１，５２とを備えるものであるので、目玉クリップ１０にＰＰホルダ３０がしっかりと固定される。
また、抜け止め部５２は、かしめによって形成されるので、製造時にかしめ固定したり、使用時にかしめ固定したりすることができる。
【実施例５】
【００４０】
図８は、本発明による非接触式データキャリア装置の実施例５を示す図である。
実施例５の非接触式データキャリア装置１００−５は、取り付け手段４０−５が、紐（紐状の部材）５３であり、紐５３を用いて、目玉クリップ１０とＰＰホルダ３０とを固定することができる。
【００４１】
このように、実施例５によれば、取り付け手段４０−５が、紐５３であるので、より簡易的に取り付けを行うことができる。
【実施例６】
【００４２】
図９は、本発明による非接触式データキャリア装置の実施例６を示す図である。
実施例６の非接触式データキャリア装置１００−６は、取り付け手段４０−６が、ＰＰホルダ３０に設けられているものである。
ＰＰホルダ３０は、目玉クリップ１０の孔１１に挿入される本体部５０と、本体部５０に設けられ、本体部５０の抜け止めとなる抜け止め部５４，５５とを備える。抜け止め部５４，５５は、図９（Ａ）に示すように、かしめによる抜け止め部５４であってもよく、図９（Ｂ）に示すように、柔軟に変形する突起などの抜け止め部５５であってもよい。
【００４３】
このように、実施例６によれば、ＰＰホルダ３０に取り付け手段４０−６が設けられているので、部品の数を減少させることができる。
【００４４】
（変形例）
以上説明した実施例に限定されることなく、種々の変形や変更が可能であって、それらも本発明の範囲内である。
（１）非接触式データキャリア装置は、目玉クリップ１０も含んだものの例で説明したが、非接触式データキャリア装置を、非接触式データキャリア２０と、ＰＰホルダ３０と、取り付け手段４０とで構成し、既存の目玉クリップ１０に使用するようにしてもよい。
（２）ネジ４１，ナット４２及びワッシャ４３は、樹脂製の例で説明したが、金属製であってもよい。
（３）ホルダは、ポリプロピレンを用いて形成する例で説明したが、その他の樹脂材料を用いて形成してもよい。
【図面の簡単な説明】
【００４５】
【図１】本発明による非接触式データキャリア装置の実施例１を示す図である。
【図２】非接触式データキャリア２０の取り付け位置について説明する図である。
【図３】目玉クリップ１０からＰＰホルダ３０までの距離と通信距離との関係を示す図である。
【図４】非接触式データキャリア２０の配置場所について説明する図である。
【図５】本発明による非接触式データキャリア装置の実施例２を示す図である。
【図６】本発明による非接触式データキャリア装置の実施例３を示す図である。
【図７】本発明による非接触式データキャリア装置の実施例４を示す図である。
【図８】本発明による非接触式データキャリア装置の実施例５を示す図である。
【図９】本発明による非接触式データキャリア装置の実施例６を示す図である。
【符号の説明】
【００４６】
１０：目玉クリップ、１１：孔、１２：手押し部、１２Ａ，１２Ｂ：金属面部、１３：把持部、１４：ねじりバネ（付勢部材）、２０：非接触式データキャリア、３０：ＰＰホルダ、３１：孔、４０，４０−２〜４０−６：取り付け手段、４１：ネジ、４２：ナット、４３：ワッシャ、４４：折り部、４５：第１の部分、４６：第２の部分、４７：孔、４８：突起部、５０：本体部、５１，５２：抜け止め部、５３：紐（紐状の部材）、５４，５５：抜け止め部、１００，１００−２〜１００−６：非接触式データキャリア装置、２００：Ｒ／Ｗ
【図１】
0005029174.tif 000002
【図２】
0005029174.tif 000003
【図３】
0005029174.tif 000004
【図４】
0005029174.tif 000005
【図５】
0005029174.tif 000006
【図６】
0005029174.tif 000007
【図７】
0005029174.tif 000008
【図８】
0005029174.tif 000009
【図９】
0005029174.tif 000010